(57)【特許請求の範囲】
【請求項１】
便器に起倒自在に設置された便座と、
前記便座を起倒自在に支持する本体と、
前記本体に設けられ洗浄水を加熱する熱交換器と、
前記本体に設けられ洗浄水を吐出する吐水部と、
前記吐水部への水路を開閉する開閉弁と、
制御部と、を備え、
前記制御部は、前記吐水部の吐出終了からの経過時間が、便器溜め水の蒸発量推定部による推定蒸発量が所定蒸発量に到達したと判定した際に、特定時間前記開閉弁を開け、前記吐水部から便器内に洗浄水を流す制御をすることを特徴とする衛生洗浄装置。
【請求項２】
トイレ室内の室温を検出する室温検出手段を備え、前記制御部の蒸発量推定部による推定蒸発量は、前記室温検出手段で検出される平均温度から春夏秋冬の季節を判断して推定される請求項１に記載の衛生洗浄装置。
【請求項３】
前記便座に便座温度センサを備え、前記制御部の蒸発量推定部による推定蒸発量は、前記便座温度センサの温度から春夏秋冬の季節を判断して推定される請求項１に記載の衛生洗浄装置。
【請求項４】
前記熱交換器に洗浄水温度センサを備え、前記制御部の蒸発量推定部による推定蒸発量は、前記洗浄水温度センサの温度から春夏秋冬の季節を判断して推定される請求項１に記載の衛生洗浄装置。
【請求項５】
トイレ室内の室温および湿度を検出する室温検出手段および湿度検出手段を備え、前記制御部の蒸発量推定部による推定蒸発量は、前記室温検出手段および湿度検出手段の検出値から推定される請求項１に記載の衛生洗浄装置。
【発明の詳細な説明】
【技術分野】
【０００１】
本発明は、人体の局部を洗浄する衛生洗浄装置に関するものである。
【背景技術】
【０００２】
人体の局部を洗浄する衛生洗浄装置は、水洗便器上に設置され、その便器は、トラップ部が形成されており、便器ボール内の水がトラップ部の封水水位以上に溜水があることによって、下水配管内の臭いがトイレに逆流することを防止されていることは、一般に知られているところである。
【０００３】
便器ボール内の水位が封水水位よりも低下したとき、脱臭手段を作動して下水管から逆流した臭気を脱臭するものもある（例えば、特許文献１参照）。
【０００４】
図３６は、特許文献１に記載された従来の衛生洗浄装置を示すものである。図３６に示すように、便器ボール内の水がトラップ部の封水切れとなる低水位の溜水量になった際、排水接続管１６に接続された脱臭手段である送風装置５６を駆動することによって、排水接続管１６経由で下水に向けて空気を流すことで、臭気の逆流が防止される。
【先行技術文献】
【特許文献】
【０００５】
【特許文献１】特開２００６−２１９９７７号公報
【発明の概要】
【発明が解決しようとする課題】
【０００６】
しかしながら、上述した従来の衛生洗浄装置のように、排水接続管１６に接続された脱臭手段である送風装置５６を備えた便器は、特別な存在であり一般的ではない。一般に使用されている多くの便器は、排水接続管１６経由で下水に向けて空気を流す送風装置を備えていない。
【０００７】
その為、比較的長期間、例えば１週間〜２週間以上、長く不在の場合、便器ボール内の水が徐々に蒸発して喫水面が下がり、下水配管内の臭いがトイレに逆流して悪臭がするという課題があった。
【０００８】
本発明は、前記従来の課題を解決するもので、一般の便器に設置して下水配管からの臭いの逆流を防止することができ、使用者に不快感を与えない衛生洗浄装置を提供することを目的とするものである。
【課題を解決するための手段】
【０００９】
前記従来の課題を解決するために、本発明の衛生洗浄装置は、便器に起倒自在に設置された便座と、前記便座を起倒自在に支持する本体と、前記本体に設けられ洗浄水を加熱する熱交換器と、前記本体に設けられ洗浄水を吐出する吐水部と、前記吐水部への水路を開閉する開閉弁と、制御部とを備え、前記制御部は、前記吐水部の吐出終了からの経過時間が、便器溜め水の蒸発量推定部による推定蒸発量が所定蒸発量に到達したと判定した際に、特定時間前記開閉弁を開け、前記吐水部から便器内に洗浄水を流す制御をするものである。
【００１０】
これにより、制御部は、便器溜め水の蒸発量を、吐水部の吐出終了時点から演算し、所定蒸発量に到達したと判定すると開閉弁を特定時間だけ開けるように作用し、吐水部から
便器内に所定量の洗浄水が流入するので、一般の便器に設置して便器ボール内の水がトラップ部の封水切れとなる低水位の溜水量に至らずに、下水配管からの臭いの逆流を防止する衛生洗浄装置を提供することができる。
【発明の効果】
【００１１】
本発明の衛生洗浄装置は、長期間、不在にする場合があっても、便器ボール内の水が蒸発してトラップ部の封水切れとなる低水位の溜水量になる前に、本体から便器ボール内に水を供給することができるので、下水配管からの臭いの逆流を防止することができる。
【図面の簡単な説明】
【００１２】
【図１】本発明の実施の形態１における衛生洗浄装置を便器に設置した状態の外観の一例を示す斜視図
【図２】同衛生洗浄装置の前本体ケースを取り外した状態の斜視図
【図３】同衛生洗浄装置の前本体ケースと制御部を取り外した状態の斜視図
【図４】同衛生洗浄装置の操作部上面を示す斜視図
【図５】同衛生洗浄装置のリモートコントローラの外観を示す斜視図
【図６】同衛生洗浄装置の洗浄手段の水回路の構成を示す模式図
【図７】同衛生洗浄装置の水回路の分解状態を示す斜視図
【図８】同衛生洗浄装置の水回路の組立状態を示す斜視図
【図９】同衛生洗浄装置のサブタンクの外観を示す斜視図
【図１０】同衛生洗浄装置のサブタンクの正面視の断面図
【図１１】同衛生洗浄装置のサブタンクの側面視の断面図
【図１２】同衛生洗浄装置の熱交換器の外観を示す斜視図
【図１３】同衛生洗浄装置の熱交換器の断面図
【図１４】同衛生洗浄装置の水ポンプの外観を示す斜視図
【図１５】同衛生洗浄装置の水ポンプの断面図
【図１６】同衛生洗浄装置のノズル装置の収納状態の外観を示す斜視図
【図１７】図１６に示すＡＡ断面図
【図１８】同衛生洗浄装置のノズル装置の収納状態の縦断面図
【図１９】図１８に示すＢ部の詳細断面図
【図２０】図１９に示すＣＣ断面図
【図２１】同衛生洗浄装置のノズル装置の収納状態の横断面図
【図２２】図２１に示すＣ部の詳細断面図
【図２３】同衛生洗浄装置のノズル装置のお尻洗浄状態を示す縦断面図
【図２４】図２３に示すＤ部の詳細断面図
【図２５】同衛生洗浄装置のノズル装置のビデ洗浄状態を示す縦断面図
【図２６】図２５に示すＥ部の詳細断面図
【図２７】同衛生洗浄装置のノズル装置のビデ洗浄状態を示す横断面図
【図２８】図２７に示すＧ部の詳細断面図
【図２９】同衛生洗浄装置の初期使用時における洗浄手段のタイムチャート
【図３０】同衛生洗浄装置の通常使用時における洗浄手段のタイムチャート
【図３１】同衛生洗浄装置を便器に設置した状態の縦断面図
【図３２】同衛生洗浄装置を便器に設置した状態の縦断面図
【図３３】同衛生洗浄装置の制御部における制御動作の一例を示すフローチャート
【図３４】便器溜め水の蒸発量の一例を示すグラフ
【図３５】本発明の実施の形態２における衛生洗浄装置を便器に設置した状態の縦断面図
【図３６】従来の衛生洗浄装置の断面図
【発明を実施するための形態】
【００１３】
第１の発明の衛生洗浄装置は、便器に起倒自在に設置された便座と、便座を起倒自在に支持する本体と、本体に設けられ洗浄水を加熱する熱交換器と、本体に設けられ洗浄水を吐出する吐水部と、吐水部への水路を開閉する開閉弁と、制御部とを備え、制御部は、吐水部の吐出終了からの経過時間が、便器溜め水の蒸発量推定部による推定蒸発量が所定蒸発量に到達したと判定した際に、特定時間前記開閉弁を開け、吐水部から便器内に洗浄水を流す制御をするものである。
【００１４】
これによって、制御部は、便器溜め水の蒸発量を、吐水部の吐出終了時点から演算し、所定蒸発量に到達したと判定すると開閉弁を特定時間だけ開けるように作用し、吐水部から便器内に所定量の洗浄水が流入するので、便器ボール内の水がトラップ部の封水切れとなる低水位の溜水量に至らずに、下水配管からの臭いの逆流を防止することできる。
【００１５】
第２の発明は、特に第１の発明の制御部はトイレ室内の室温を検出する室温検出手段を備え、制御部の蒸発量推定部による推定蒸発量は、室温検出手段で検出される平均温度から春夏秋冬の季節を判断して推定されるものであってもよい。これにより、便器内の水の蒸発量が温度だけでなく季節に応じて変化する他の要素も含んで、より的確に推定できるので、電力や水の無駄使いを少なく、下水配管からの臭いの逆流を防止することできる。
【００１６】
第３の発明は、特に第１の発明の制御部は便座に便座温度センサを備え、制御部の蒸発量推定部による推定蒸発量は、便座温度センサの温度から春夏秋冬の季節を判断して推定されるものであってもよい。これにより、便器内の水の蒸発量が温度だけでなく季節に応じて変化する他の要素も含んで、より的確に推定できるので、電力や水の無駄使いを少なく、下水配管からの臭いの逆流を防止することできる。
【００１７】
第４の発明は、特に第１の発明の制御部は熱交換器に洗浄水温度センサを備え、制御部の蒸発量推定部による推定蒸発量は、洗浄水温度センサの温度から春夏秋冬の季節を判断して推定されるものであってもよい。これにより、便器内の水の蒸発量が温度だけでなく季節に応じて変化する他の要素も含んで、より的確に推定できるので、電力や水の無駄使いを少なく、下水配管からの臭いの逆流を防止することできる。
【００１８】
第５の発明は、特に第１の発明の制御部はトイレ室内の室温および湿度を検出する室温検出手段および湿度検出手段を備え、前記制御部の蒸発量推定部による推定蒸発量は、前記室温検出手段および湿度検出手段の検出値から推定されるものであってもよい。これにより、便器内の水の蒸発量が温度だけでなく温湿度に応じて変化する要素を含んで推定できるので、使用される国や地域、時期にかかわらず、電力や水の無駄使いを少なく、下水配管からの臭いの逆流を防止することできる。
【００１９】
以下、本発明の実施の形態について、図面を参照しながら説明する。なお、この実施の形態によって本発明が限定されるものではない。
【００２０】
（実施の形態１）
図１は本実施の形態における衛生洗浄装置を便器上に設置した状態の外観の斜視図を示し、図２は衛生洗浄装置の本体の前本体ケースを取り外した状態の斜視図を示し、図３は衛生洗浄装置の本体の前本体ケースと制御部を取り外した状態の斜視図を示し、図４は衛生洗浄装置の操作部上面の斜視図を示し、図５はリモートコントローラの外観の斜視図を示すものである。
【００２１】
＜１＞衛生洗浄装置の全体構成
図１に示すように、衛生洗浄装置１００は、本体２００、便座３００、便蓋３２０、リモートコントローラ４００、人体検知センサ４５０を主構成部材として構成され、本体２
００と便座３００と便蓋３２０は一体で構成され、便器１１０の上面に設置される。
【００２２】
なお、本実施の形態においては衛生洗浄装置１００の本体２００の設置側を後方、便座３００の設置側を前方とし、前方に向かって右側を右方、前方に向かって左側を左方として各構成要素の配置を説明する。
【００２３】
本体２００の側部には突出して操作部２１０が一体に設けられ、本体２００の前部には、便座３００および便蓋３２０が便座便蓋回動機構３６０を介して開閉自在に取り付けられている。便座便蓋回動機構３６０は直流モータと複数のギアで構成されており、便座３００と便蓋３２０を個別または同時に開閉することができる。
【００２４】
図１に示すように便蓋３２０を開放した状態においては、便蓋３２０は衛生洗浄装置１００の最後部に位置するように起立する。また、便蓋３２０を閉成すると便座３００の上面を隠蔽する。便蓋３２０は樹脂材料の成型による部材で構成されており、二重構造と断熱材による断熱構造となっている。
【００２５】
便座３００は着座面を加熱する便座ヒータ（図示せず）を備えており、便座の着座面が快適な温度になるように加熱する。また、便座３００に備えられたサーミスタにてなる便座温度センサ（図示せず）からの信号によって、便座温度が快適に制御される。
【００２６】
また、便座３００の回動軸を支持する本体２００内の軸受け部分には便座３００に着座した人体を検知する着座センサ３３０が設置されている。この着座センサは重量式の着座センサであり、便座３００に使用者が着座することによる重量変化でスイッチを開閉させることにより、便座３００の着座面に使用者が着座していることを検知するものである。
【００２７】
本体２００には、サブタンク６００、熱交換器７００、ノズル装置８００等が構成され、人体の局部を洗浄する洗浄ノズルであるお尻洗浄ノズル８３１と、便器内面に洗浄水を散布する吐水部５５０と、排便時の臭気を脱臭する脱臭装置１２０と、衛生洗浄装置１００の各機能を制御する制御部１３０等が備えられている。
【００２８】
図２に示すように、本体２００の内部の中央部には、洗浄手段５００の主構成部材であるノズル装置８００が設置されており、ノズル装置８００の右側には吐水部５５０、ノズル装置８００の左側には、脱臭装置１２０が設置されている。また左側部には便座３００と便蓋３２０を開閉駆動する便座便蓋回動機構３６０が設置されている。
【００２９】
図３に示すように、ノズル装置８００の右側には、前方に洗浄手段５００の止水電磁弁５１４、サブタンク６００等が設置されており、その後方には熱交換器７００が設置されており、熱交換器７００の後方には水ポンプ５１６が設置されている。また、図２に示すように洗浄手段５００の上方には制御部１３０が設置されている。
【００３０】
本体２００の右側部には前方に突出するように操作部２１０が一体に設けられており、図４に示すように、衛生洗浄装置１００の各機能を操作および設定する複数のスイッチと表示灯２４０が設置されている。
【００３１】
操作部２１０の内部には操作基板（図示せず）が設置されている。操作基板には複数のタクトスイッチと複数のＬＥＤが設置されており、操作部２１０の上面に貼付されたスイッチ銘板を介してタクトスイッチの押圧操作とＬＥＤの視認が可能となっている。
【００３２】
また、操作部２１０の上面後方には、リモートコントローラ４００と人体検知センサ４５０から送信される赤外線信号を受信する赤外線受信部２１１が配置されている。
【００３３】
操作部２１０に設置されたスイッチは、洗浄動作を操作する複数の操作スイッチ２２０と各種機能を設定する複数の設定スイッチ２３０が設置されている。また、表示灯２４０としては設定状態を表示する複数のＬＥＤが設置されている。
【００３４】
操作スイッチ２２０としては、リモートコントローラ４００の電池切れや、故障の場合に補助的に使用するお尻洗浄スイッチ２２１と、ノズルの掃除を行うときに操作するノズル掃除スイッチ２２２が設けられている。
【００３５】
設定スイッチ２３０としては、洗浄水の温度を設定する温水温度スイッチ２３１と、便座の温度を設定する便座温度スイッチ２３２と、設定されてから８時間に亘り便座３００の保温を停止する８時間切りスイッチ２３３と、衛生洗浄装置１００が使用されない時間帯を自動的に学習して、使用されない時間帯に便座３００の保温温度を下げることにより節電を行う節電スイッチ２３４と、便座３００および便蓋３２０の自動開閉動作を設定する便蓋自動開閉スイッチ２３５等が設置されている。
【００３６】
衛生洗浄装置１００の多くの操作は、本体２００とは別体で構成されたリモートコントローラ４００で行われる。リモートコントローラ４００は便座３００に着座した使用者が操作のしやすいトイレルームの壁面等に取り付けられる。
【００３７】
図５に示すように、リモートコントローラ４００の全体形状は薄い直方体に形成されており、樹脂材料で成形された箱状のリモコン本体４０１の上面と前面に複数のスイッチと表示灯が設置されている。また、リモコン本体４０１に上部角にはリモートコントローラ４００の操作信号を本体２００に赤外線で送信する送信部４０２が配置されている。
【００３８】
リモコン本体４０１の内部にはリモートコントローラ４００の制御機能を構成する制御基板（図示せず）と、リモートコントローラ４００の電源である電池（図示せず）が内蔵されている。
【００３９】
リモコン本体４０１の前面中央部には、お尻洗浄を開始するお尻洗浄スイッチ４１０と、女性の局部洗浄を洗浄するビデ洗浄を開始するビデ洗浄スイッチ４１１と、お尻洗浄とビデ洗浄を停止する停止スイッチ４１２と、お尻洗浄およびビデ洗浄時に洗浄位置を前後に周期的に移動させて広い範囲の洗浄が可能とするムーブ洗浄スイッチ４１３と、お尻洗浄時に洗浄強さを周期的に変化させるリズム洗浄スイッチ４１４が配置されている。
【００４０】
前面上部には、お尻洗浄およびビデ洗浄時の洗浄強さを２個のスイッチで調節する洗浄強さスイッチ４１５と、お尻洗浄およびビデ洗浄時の洗浄位置を２個のスイッチで調整する洗浄位置スイッチ４１６と、吐水部５５０から洗浄水を吐出して便器内面に散布する散布スイッチ４１７が配置されている。
【００４１】
また、洗浄強さスイッチ４１５の上方には、洗浄強さを５段階で表示するＬＥＤの強さ表示灯４２１と、洗浄位置スイッチ４１６の上方には、洗浄位置を５段階で表示する位置表示灯４２２が配置されている。
【００４２】
リモコン本体４０１の上面には、便蓋を電動で開閉する便蓋スイッチ４１８と、便座を電動で開閉する便座スイッチ４１９が設置されており、スイッチ操作により使用者が任意に便座３００と便蓋３２０を開閉できる構成となっている。
【００４３】
人体検知センサ４５０は本体２００とは別体で構成されており、トイレルームの壁面等に取り付けられる。人体検知センサ４５０は、人体から放出される赤外線を受光する焦電
センサ（図示せず）と、焦電センサの信号で人体の検出を判定するセンサ制御部（図示せず）と、センサ制御部からの人体検知信号を本体２００の制御部に赤外線で送信する赤外線送信部（図示せず）と、人体検知センサ４５０の電源である電池（図示せず）等で構成されている。
【００４４】
＜２＞衛生洗浄装置の水回路構成
図６は衛生洗浄装置の水回路構成を示す模式図である。
【００４５】
本体２００の内部には使用者の局部を洗浄する洗浄手段５００を有する。洗浄手段５００は洗浄水を噴出するノズル装置８００と、給水接続口５１０からノズル装置８００に洗浄水を供給する一連の洗浄水供給流路とで形成されている。
【００４６】
図６に示すように、洗浄水供給流路は、給水接続口５１０と、ストレーナ５１１と、逆止弁５１２と、定流量弁５１３と、止水電磁弁５１４と、リリーフ弁５１５と、サブタンク６００と、熱交換器７００と、バッファタンク７５０と、水ポンプ５１６と、流調弁５１７と、が順次設置され、ノズル装置８００に接続されている。
【００４７】
本体２００の右側下方に水道管が接続される給水接続口５１０が配置されており、給水接続口５１０の内部には水道水に含まれるごみの流入を防止するストレーナ５１１と、サブタンク６００内に貯溜された水が水道配管に逆流することを防止する逆止弁５１２が組み込まれている。
【００４８】
逆止弁５１２の下流には、流路に流れる洗浄水の量を一定に保つ定流量弁５１３と、流路を電動で開閉する止水電磁弁５１４と、リリーフ弁５１５とが一体に構成されている。
【００４９】
止水電磁弁５１４の下流には、大気解放口を備えたサブタンク６００と、洗浄水を瞬時に加熱する熱交換器７００と、熱交換器７００で加熱された温水の温度を均一にするバッファタンク７５０が接続されている。
【００５０】
バッファタンク７５０の下流には、水ポンプ５１６が接続されている。水ポンプ５１６の下流には、流調弁５１７を介してノズル装置８００が接続されており、流調弁５１７のそれぞれのポートにはノズル装置８００のお尻洗浄ノズル８３１、ビデ洗浄ノズル８３２、ノズルクリーニング部８３３が接続されている。
【００５１】
洗浄水供給流路６９０の、水ポンプ５１６と流調弁５１７との間で分岐された分岐流路５３０は、逆止弁５３１を介して吐水部５５０が接続されている。
【００５２】
なお、図６の破線は、制御部１３０と電気接続されていることを示したものである。
【００５３】
図７および図８に示すように、洗浄手段５００を構成する部材のうち、給水接続口５１０、ストレーナ５１１、逆止弁５１２、定流量弁５１３、止水電磁弁５１４、リリーフ弁５１５、サブタンク６００、熱交換器７００、バッファタンク７５０、水ポンプ５１６は樹脂材料で成型されたシャーシ５０１に組み込まれ一体的に構成され、本体２００の後本体ケース２０１に組みつけられている。
【００５４】
図７に示すように、ストレーナ５１１と逆止弁５１２は給水接続口５１０に一体に組み込まれており、定流量弁５１３とリリーフ弁５１５とは止水電磁弁５１４に一体に組み込まれている。また、バッファタンク７５０は熱交換器７００と一体に構成されている。
【００５５】
給水接続口５１０と止水電磁弁５１４、止水電磁弁５１４とサブタンク６００、サブタ
ンク６００と熱交換器７００、とは接続チューブ等を介さず、相互の接続口をパッキンであるＯリングを介して直接接続する構成となっている。また、これらの水回路を構成する部材はシャーシ５０１の所定の位置に設置固定されている。
【００５６】
このような構成を採用することにより、水密構造を向上することが可能になるとともに、相互の部材の配置精度を向上することができる。特にサブタンク６００と熱交換器７００の配置精度が向上することにより、洗浄水の流量の制御精度を向上することが可能となり、洗浄手段５００の性能の向上と制御精度を向上することができる。
【００５７】
水ポンプ５１６は容積形ポンプであるピストンポンプであり、図１４、図１２に示すように、外形は略Ｌ字状をなしており、略円筒形のモータ部５１６ａと、モータの回転運動を往復運動に変換するリンク機構部５１６ｂと、リンク機構部５１６ｂの往復運動で駆動されるピストン部５１６ｃで構成されている。ピストン部５１６ｃの外面には、接続口として吸水口５１６ｄと吐出口５１６ｅが設けられている。
【００５８】
上記構成の水ポンプ５１６を駆動させた場合、往復運動を伴うリンク機構部５１６ｂとピストン部５１６ｃに比べ、回転運動のみのモータ部５１６ａでは発生する振動が少ない構成となっている。
【００５９】
モータ部５１６ａを駆動することにより、ピストン部５１６ｃが往復運動を開始し、吸水口５１６ｄから洗浄水を吸引して、吐出口５１６ｅから洗浄水吐出する構成であり、吐出する洗浄水はピストン部５１６ｃの往復運動に伴い適度の脈動を伴った水流となる。
【００６０】
上記構成の水ポンプ５１６の略円柱形のモータ部５１６ａの外周を、弾性を備えた発泡樹脂製の緩衝部材（図示せず）で包囲し、シャーシ５０１の後部に設けられた略円筒形の水ポンプ設置部５０１ａに挿入することにより支持され、リンク機構部５１６ｂとピストン部５１６ｃは下方に垂れ下がるように懸架される。
【００６１】
水ポンプ設置部５０１ａは薄い肉厚で形成されており、シャーシ５０１の底面から起立したリブ状の脚部５０１ｂの上部に形成されている。薄い肉厚で形成したことにより樹脂の弾性により水ポンプ５１６の振動を吸収する効果を得ることができる。
【００６２】
また、バッファタンク７５０が一体に形成された熱交換器７００の接続口である出湯口７１２と水ポンプ５１６の接続口である吸水口５１６ｄとは軟質樹脂製の接続チューブで接続される。
【００６３】
上記のように、振動の少ないモータ部５１６ａが緩衝部材を介して、シャーシ５０１の薄い肉厚で形成された水ポンプ設置部５０１ａに設置され、振動を多く発生するリンク機構部５１６ｂとピストン部５１６ｃとはフリーな状態で懸架され、しかもバッファタンク７５０とは軟質樹脂製の接続チューブ５０２で接続されることにより、水ポンプ５１６の駆動時に発生する振動をシャーシ５０１や他の部材、また本体２００に伝わること抑制することが可能となり、衛生洗浄装置の快適性と耐久性を向上する効果を得ることができる。
【００６４】
特に水ポンプ５１６は、発泡樹脂製の緩衝部材と水ポンプ設置部５０１ａを形成する弾性を備えた樹脂との２つの異なる材質を介して支持されることにより、広い範囲の周波数の振動が吸収され、本体への振動の伝達を効果的に抑制することができる。
【００６５】
＜３＞サブタンクの構成
図９はサブタンクの外観を示す斜視図を示すものであり、図１０はサブタンクの横方向
の断面図を示し、図１１はサブタンクの前後方向の断面図を示すものである。
【００６６】
図９に示すように、サブタンク６００は樹脂材料により成型されたタンク本体６１０と、タンク本体６１０に貯溜された洗浄水の水位を検知する水位検知センサ６２０と、タンク本体６１０内に供給される洗浄水の温度を検知する水温検知手段であるサーミスタからなる入水温度センサ６３０とで構成されている。
【００６７】
タンク本体６１０はタンクの前壁、両側壁、底面、天面を構成する前部タンク６１１と、タンクの後壁を構成する後部タンク６１２と、タンク本体６１０の天面に配置された大気開放部６１３と、の３個の部材で構成されている。タンク本体６１０の全体的な形状は、前壁、後壁、両側壁、底面、天面からなる複数の平面で形成されており、平面視形状は略四角形である。前壁は途中から後退する傾斜部を備え、側面視形状は下部より上部が細くなった略台形形状に形成されており、タンク本体６１０の上部の断面積は下部より小さい断面積となっている。
【００６８】
タンク本体６１０の一方の側壁下部には入水口６０１が、タンク本体６１０後壁下部には出水口６０２が設けられており、タンク本体６１０の天面に配置された大気開放部６１３にはタンク本体６１０の内部と外部を連通する大気開放口６０３が設けられている。大気開放口６０３を設けることにより、タンク本体６１０内に溜まった空気を外部に放出するとともに、タンク本体６１０の内部圧力を常時大気圧に維持することができる。
【００６９】
サブタンク６００の内部が常時大気圧に維持されることにより、サブタンク６００の下流から水ポンプ５１６の吸水口５１６ｄまでの流路も大気圧に維持されるため、水ポンプ５１６は水圧変動の影響を受けずに給水することができるため、安定したポンプ機能を発揮することができる。
【００７０】
大気開放部６１３の大気開放口６０３に連通する流路には、流路の断面積が大きいバッファ部６１３ａが形成されており、大気開放口６０３から気泡に伴って洗浄水が衝撃的に流出しようとした場合等に、洗浄水が一旦、バッファ部６１３ａに貯溜されることにより、大気開放口６０３からの流出を抑制する機能を備えている。
【００７１】
タンク本体６１０の内部には仕切壁６１４が設けられており、仕切壁６１４によりタンク本体６１０の内部は入水槽６１５と貯溜槽６１６の２つの槽に分割されている。入水槽６１５の側面の底面近傍には入水口６０１が、貯溜槽６１６の後壁の底面近傍には出水口６０２が設けられている。
【００７２】
仕切壁６１４を設け、入水槽６１５と貯溜槽６１６を形成することにより、入水口６０１から流入した洗浄水に空気が含まれている場合、空気は入水槽６１５の上部より、大気開放口６０３を通過して外部に放出されるため、貯溜槽６１６には空気を含まない洗浄水のみを流入させることができる。
【００７３】
入水槽６１５の上方には、入水槽６１５の上面開口部６１５ａと大気開放部６１３の間に介在し、タンク本体６１０の側壁より略水平方向に突出した障壁６１７が設けられている。障壁６１７は入水槽６１５の上面開口部の全面を覆う大きさとなっている。
【００７４】
また、入水槽６１５の内部には、タンク本体６１０の側壁と仕切壁６１４には、略水平方向に交互に突出した複数の整流リブ６１８が形成されている。
【００７５】
入水口６０１から流入した洗浄水は、まず入水槽６１５の下部に流入し、整流リブ６１８で流れの方向を変化させながら入水槽６１５内を上昇する。このとき入水口６０１から
流入する洗浄水の圧力が高い場合、あるいは大量の空気を含んで著しく流れが乱れている場合は整流リブ６１８により、流れが適度に整流化されるとともに、整流リブ６１８の下流側で発生する渦により洗浄水内に含まれる空気が分離される。
【００７６】
入水槽６１５内を上昇した空気が分離された洗浄水は、仕切壁６１４の上端を乗り越えて貯溜槽６１６に流入して貯溜される。
【００７７】
このとき、入水口６０１から流入する洗浄水の圧力が高い場合、あるいは大量の空気を含んで著しく流れが乱れている場合でも、洗浄水は障壁６１７により上方への流れが抑制され、洗浄水が大気開放部６１３に直接当たり、大気開放口６０３よりサブタンク６００の外部に流出することが防止される。
【００７８】
上記のように、入水口６０１から流入した洗浄水は入水槽６１５内を上昇する間に洗浄水に含まれる空気が分離され、分離された空気は大気開放口６０３よりタンク本体６１０外に放出される。貯溜槽６１６には空気を含まない洗浄水が貯溜され、出水口６０２より熱交換器７００に供給される。
【００７９】
サブタンク６００より熱交換器７００に供給される洗浄水に空気が混入していた場合、熱交換器７００の内部に気泡が発生することにより熱交換器７００の内部の温度が異常上昇し、熱交換器７００が損傷することがあり、仕切壁６１４を設け、空気の混入を防止することにより、熱交換器７００の損傷を防止する効果を得ることができる。
【００８０】
水位検知センサ６２０は、共通の電極となるコモン電極６２１と、水位毎に設置された複数の水位電極６２２で構成されており、本実施の形態においては１個のコモン電極６２１と２個の水位電極６２２で構成されている。
【００８１】
タンク本体６１０の前壁下部の内面にはコモン電極６２１が配置されており、タンク本体６１０の後壁の内面には水位電極６２２が配置されている。水位電極６２２は上部に設けられた上限電極６２３と、下部に設けられた下限電極６２４で構成されている。コモン電極６２１は下限電極６２４より低い位置に設置されており、コモン電極６２１は通常の使用状態では常に浸水状態となっている。
【００８２】
コモン電極６２１と、水位電極６２２である上限電極６２３および下限電極６２４とを異なる面に設置したことにより、タンク本体６１０の内面に付着した残水を貯溜水として誤検知することを抑制する効果を得ることができる。
【００８３】
水位の検知は、コモン電極６２１と水位電極６２２との間に直流電圧を印加し、水位電極６２２が浸水しているか否かにより電圧が変化することにより水位を検知する。すなわち、貯溜槽６１６に洗浄水が流入して水位が上昇し、下限電極６２４および上限電極６２３が浸水すると、コモン電極６２１と下限電極６２４および上限電極６２３間の電圧が低下することにより制御部１３０は水位を検知する。
【００８４】
上限電極６２３は上限水位の検知に使用され、下限電極６２４は下限水位の検知に使用される。上限電極６２３は大気開放口６０３より低い位置に設置されており、これにより、大気開放口６０３から洗浄水が流出することを防止することができる。また、下限電極６２４は出水口６０２より上方に設置されており、これにより、熱交換器７００に空気が流入することを防止することができる。
【００８５】
＜４＞熱交換器の構成
図１２は熱交換器の外観を示す斜視図であり、図１３は熱交換器の断面図を示すもので
ある。
【００８６】
本実施の形態における熱交換器７００はバッファタンク７５０が一体に形成されており、熱交換器７００の上部にバッファタンク７５０が設置されている。
【００８７】
図１２に示すように、熱交換器７００は正面視で略長方形の平板状をなし、ＡＢＳ樹脂にガラス繊維をコンパウンドした強化ＡＢＳ樹脂で成型されたケーシング７０１とセラミック製の平板状ヒータ７０２と出湯部材７０３とを主構成部材としている。
【００８８】
ケーシング７０１は前面部を構成する前面部材７１０と、背面部構成する背面部材７２０で構成されており、前面部材７１０と背面部材７２０との間に形成される空間に平板状ヒータ７０２が設置されている。前面部材７１０と平板状ヒータ７０２との対向部と、背面部材７２０と平板状ヒータ７０２との対向部に形成された隙間を加熱流路７１５とし、加熱流路７１５を流れる洗浄水を平板状ヒータ７０２で瞬時に昇温させるものである。
【００８９】
熱交換器７００は、前面部材７１０の前面下端の右側に接続口である入水口７１１を備えており、前面部材７１０の右側面上端に設置された出湯部材７０３には接続口である出湯口７１２を備えている。
【００９０】
図１３に示すように、入水口７１１に連なる入水流路７１３がケーシング７０１の下端部の略全幅に亘り設けられている。入水流路７１３の上面には全幅に亘り複数のスリット７１４が設けられており、入水流路７１３に流入した洗浄水はスリット７１４を通過して加熱流路７１５へ流入する構成となっている。スリット７１４は洗浄水を加熱流路７１５の全幅に亘り均等に流入させるものである。
【００９１】
加熱流路７１５の上端部には仕切リブ７１６が設けられており、仕切リブ７１６より上方がバッファタンク７５０となっている。仕切リブ７１６には略全幅に亘り複数の通水孔７１７が設けられており、加熱流路７１５で加熱された洗浄水は通水孔７１７を通過してバッファタンク７５０内に流入する構成となっている。
【００９２】
バッファタンク７５０内には断面形状が略半円形の突起７１８が略全幅に亘り間隔をあけて設けられている。バッファタンク７５０内を出湯口７１２に向かって流れる洗浄水は、突起７１８による流れが乱されることにより、洗浄水が混ざり合って洗浄水の温度斑が解消され、均一な温度の洗浄水が出湯口７１２より出湯される。
【００９３】
出湯部材７０３には２個のサーミスタが設置されており、一方は洗浄水の出湯温度を検知する出湯温度センサ７３０であり、他方は熱交換器７００の過昇温度を検知する過昇温度センサ７３１である。
【００９４】
＜５＞ノズル装置の構成
図１６は本実施の形態におけるノズル装置の収納状態を示す斜視図であり、図１７は図１６に示すＡＡ断面図であり、図１８はノズル装置の収納状態を示す縦断面図であり、図１９は図１８に示すＢ部の詳細断面図であり、図２０は図１９に示すＣＣ断面図であり、図２１はノズル装置の収納状態の横断面図であり、図２２は図２１に示すＣ部の詳細断面図であり、図２３はノズル装置のお尻洗浄状態を示す縦断面図であり、図２４は図２３に示すＤ部の詳細断面図であり、図２５はノズル装置のビデ洗浄状態を示す縦断面図であり、図２６は図２５に示すＥ部の詳細断面図であり、図２７はノズル装置のビデ洗浄状態を示すノズル部の横断面図であり、図２８は図２７に示すＧ部の詳細断面図である。
【００９５】
ノズル装置８００は、図１６に示すように、樹脂材料で成型した略三角形の枠状の支持
部８１０と、支持部８１０に沿って進退移動するノズル部８２０と、ノズル部８２０の進退移動を駆動する駆動部８６０と、ノズル部８２０への洗浄水の供給を切り替える流調弁５１７で構成されている。
【００９６】
なお、本実施の形態においてはノズル部の収納方向を後方とし、ノズル部８２０の進出方向を前方とし、後方より前方に向かって右側を右方、左側を左方として各構成要素の配置を説明する。
【００９７】
支持部８１０は側面視略三角形の枠状に形成されており、略水平な底辺部８１１に対し、後部より前部に向かって降下した傾斜部８１２と、底辺部８１１と傾斜部８１２の後端を接合する縦辺部８１３が形成されている。傾斜部８１２にはノズル部８２０の進退移動を案内するガイドレール８１４と駆動部８６０の可撓ラック８６１を案内するラックガイド８１５が略全長に亘って形成されている。また傾斜部８１２の前端下方にはノズル部８２０を抱囲するように支持する略円筒形の抱持部８１６が一体に形成されている。
【００９８】
図１６に示すように、ノズル部８２０を案内するガイドレール８１４は断面が略Ｔ字状に形成されている。また、可撓ラック８６１を案内するラックガイド８１５は断面が一方の側面が開放された略コの字状を成しており、可撓ラック８６１の上下面と一方の側面を規制して案内する構成となっている。
【００９９】
ラックガイド８１５は傾斜部８１２に続いて支持部８１０の後部の縦辺部８１３と底辺部８１１にも連続して形成されており、傾斜部８１２と縦辺部８１３および縦辺部８１３と底辺部８１１とのコーナは円弧形状で接続されている。縦辺部８１３と底辺部８１１に形成されたラックガイド８１５の断面形状も略コの字状であるが、開放された側面は傾斜部においては左側であるのに対し、縦辺部８１３と底辺部８１１とは反対の右側面となっている。縦辺部８１３と底辺部８１１のラックガイド８１５の開放面は別部材の支持部蓋により閉塞されている。
【０１００】
ノズル部８２０をガイドレール８１４に沿って進退移動させる駆動部８６０は、ノズル部８２０に結合された可撓ラック８６１と、可撓ラック８６１と噛合するピニオンギア８６２と、ピニオンギア８６２を回転駆動する駆動モータ８６３で構成されている。
【０１０１】
駆動モータ８６３はステッピングモータであり、パルス信号により回転角度が制御される。駆動モータ８６３が回転することによりピニオンギア８６２を介して可撓ラック８６１が駆動される構成となっている。
【０１０２】
支持部８１０の抱持部８１６の内周面とノズル部８２０の外周面との間には間隙が設けられており、ノズル部８２０から噴出した洗浄水が抱持部８１６の内周面とノズル部８２０の外周面との間に形成される間隙に流入してノズル部８２０外周面を洗浄する構成となっている。
【０１０３】
また、抱持部８１６の前方にはノズル部８２０の進退により開閉するノズル蓋８０１が開閉自在に設けられており、ノズル部８２０が収納されている状態で閉塞することにより、ノズル部８２０が便等で汚染されることを防止する構成となっている。
【０１０４】
支持部８１０の底辺部８１１には、洗浄水供給手段に接続する給水チューブ（図示せず）と支持部８１０から流調弁５１７に洗浄水を供給する接続チューブ８０２とを相互に接続する給水継手８１７が形成されている。
【０１０５】
ノズル部８２０は、樹脂材料で成型された棒状のノズル本体８３０と、ノズル本体８３
０の略全体を覆う筒状のノズルカバー８４０と、ノズル本体８３０でノズルカバー８４０を牽引する連結手段８５０とで構成されている。
【０１０６】
ノズル本体８３０は、局部を洗浄するお尻洗浄ノズル８３１と、女性の局部を洗浄するビデ洗浄ノズル８３２と、ノズル部８２０をクリーニングするノズルクリーニング部８３３を備えている。
【０１０７】
お尻洗浄ノズル８３１は、ノズル本体８３０の先端部に上方に開口したお尻洗浄噴出口８３４と、ノズル本体８３０の後端よりお尻洗浄噴出口８３４に連通するお尻洗浄流路８３５で構成されている。お尻洗浄流路８３５はノズル本体８３０の下部に設置されており、お尻洗浄噴出口８３４の下方で上方に向かって屈曲しており、屈曲部には洗浄水の流れを整流する整流板８３５ａが設置されている。お尻洗浄噴出口８３４から噴出した洗浄水はノズルカバー８４０の噴出開口８４４を通過して上方に向かって噴出される。
【０１０８】
ビデ洗浄ノズル８３２は、お尻洗浄噴出口８３４の後方に配置されたビデ洗浄噴出口８３６と、ノズル本体８３０の後端よりビデ洗浄噴出口８３６に連通するビデ洗浄流路８３７で構成されている。ビデ洗浄噴出口８３６から噴出した洗浄水はノズルカバー８４０の噴出開口８４４を通過して上方に向かって噴出される。
【０１０９】
ノズルクリーニング部８３３は、ノズル本体８３０の側面に配置されたノズルクリーニング噴出口８３８と、ノズル本体８３０の後端よりノズルクリーニング噴出口８３８に連通するノズルクリーニング流路８３９で構成されている。ノズルクリーニング噴出口８３８から噴出した洗浄水はノズルカバー８４０の内部に噴出され、ノズルカバー８４０排水口８４５からノズルカバー８４０の外部に放出される。ノズルクリーニング噴出口８３８から噴出した洗浄水はノズル部８２０とその周辺の清掃に使用される。
【０１１０】
ノズル部８２０は、前方を支持部８１０の抱持部８１６に挿入した状態で支持され、後部をガイドレール８１４に懸架された状態で摺動自在に設置されており、図１６に示すように、ノズル部８２０を抱持部８１６より後方に収容された収納位置と、図２３に示すように、ノズル部８２０が抱持部８１６より突出したお尻洗浄位置と、図２５に示すビデ洗浄位置との間を進退可能となっている。
【０１１１】
ノズルカバー８４０はノズルカバー本体８４１と連結部材８４２とで構成されている。ノズルカバー本体８４１はステンレスの薄板を円筒状に形成したものであり、先端面は閉塞面をなし、後端面は開放面となっている。連結部材８４２は樹脂材料で成型された略円筒状であり、両側部にはノズル本体８３０と係合する連結片８４３が形成されている。
【０１１２】
また、連結部材８４２の後端右側には、ノズルカバー８４０の摺動範囲を規制するノズルカバーストッパが一体に形成されており、支持部８１０に形成された前ストッパ受部と後ストッパ受部に当接することにより摺動範囲が規制される構成となっている。
【０１１３】
連結部材８４２の一部はノズルカバー本体８４１の後端の開口よりノズルカバー本体８４１内に挿入された状態で固定され一体化された構成となっている。ノズルカバー本体８４１の前方上面には、ノズル本体８３０のお尻洗浄噴出口８３４とビデ洗浄噴出口８３６が対向可能な噴出開口８４４が１個設けられている。また、ノズルカバー本体８４１の前方下面にはノズルカバー本体８４１内に流出した洗浄水を外部に排出する排水口８４５が設けられている。
【０１１４】
ノズルカバー８４０の内径はノズル本体８３０の外径より僅かに大きい寸法であり、ノズルカバー８４０にノズル本体８３０を挿入した状態で、ノズル本体８３０とノズルカバ
ー８４０が互いにスムーズに摺動可能な寸法関係となっている。
【０１１５】
ノズル本体８３０の後端面には流調弁５１７が設置されている。流調弁５１７はディスクタイプの弁本体５１７ａと切り替え動作を駆動するステッピングモータ５１７ｂで構成されている。流調弁５１７はお尻洗浄流路８３５と、ビデ洗浄流路８３７と、ノズルクリーニング流路８３９に選択的に洗浄水を供給するものである。
【０１１６】
また、流調弁５１７の弁本体５１７ａの外面には流調弁５１７に洗浄水を供給する給水口５１７ｃ設置されており、給水口５１７ｃには支持部８１０の給水継手８１７と連通する接続チューブ８０２が接合されている。
【０１１７】
次に、ノズルカバー８４０の連結部材８４２とノズル本体８３０の連結受部８５１で構成される連結手段８５０について説明する。
【０１１８】
図２２、図２８に示すように、ノズル本体８３０の後端部の外周右側には連結受部８５１が形成されている。連結受部８５１は２本の略Ｖ字型の溝が形成されており、前方の前凹陥部８５１ａと後方の後凹陥部８５１ｂが前後に間隔をあけて２本配置されている。前凹陥部８５１ａと後凹陥部８５１ｂの間隔はお尻洗浄噴出口８３４とビデ洗浄噴出口８３６の間隔と等しい寸法となっている。
【０１１９】
一方、ノズルカバー８４０の連結部材８４２は、略円筒状の樹脂材料で成型され、後部両側部は後方に突出した連結片８４３が形成されており、連結片８４３の後端部には内方に突出した略Ｖ字形状の連結突起８４３ａが形成されている。
【０１２０】
ノズル本体８３０をノズルカバー８４０に挿入した状態においては、ノズルカバー８４０の連結部材８４２の弾性により、連結突起８４３ａがノズル本体８３０の連結受部８５１に常時押し当てられた状態となり、連結突起８４３ａが前凹陥部８５１ａ内または後凹陥部８５１ｂに係合した状態では、ノズル本体８３０とノズルカバー８４０が連結された状態となり、ノズルカバー８４０はノズル本体８３０に牽引されて移動することが可能となる。
【０１２１】
図２２に示すように、連結突起８４３ａが前凹陥部８５１ａに入り込んでいる状態では、図２６に示すように、ノズル本体８３０のビデ洗浄噴出口８３６とノズルカバー８４０の噴出開口８４４が対向した状態となり、図２８に示すように、連結突起８４３ａが後凹陥部８５１ｂに入り込んでいる状態では、図１９、図２４に示すように、お尻洗浄噴出口８３４と噴出開口８４４が対向した状態となる。
【０１２２】
＜６＞洗浄手段の制御と作用動作
図２９は初期使用時における洗浄手段のタイムチャートを示し、図３０は通常使用時における洗浄手段のタイムチャートを示すものである。
【０１２３】
洗浄手段５００の基本的な作用動作としては、水道配管を流れる水道水が、洗浄水として給水接続口５１０から供給され、止水電磁弁５１４が開放されることによりサブタンク６００へ洗浄水が送給される。流路内を流れる洗浄水の流量は定流量弁５１３により一定に維持される。止水電磁弁５１４の駆動は、リモートコントローラ４００および操作部２１０の操作に基づき制御部１３０により制御される。
【０１２４】
サブタンク６００に送給された洗浄水はサブタンク６００内に貯溜されるとともに、熱交換器７００および水ポンプ５１６に送給される。水ポンプ５１６が駆動されることにより洗浄水は流調弁５１７を介してノズル装置８００に送給される。水ポンプ５１６の駆動
はリモートコントローラ４００および操作部２１０の操作に基づき制御部１３０により制御される。制御部１３０は水ポンプ５１６を駆動するとともに、熱交換器７００の平板状ヒータ７０２への通電を開始し、洗浄水の加熱を開始する。
【０１２５】
制御部１３０は入水温度センサ６３０と出湯温度センサ７３０の検知情報により、平板状ヒータ７０２への通電を制御し、洗浄水を操作部２１０の温水温度スイッチ２３１で設定された温度を維持する。
【０１２６】
制御部１３０は操作部２１０およびリモートコントローラ４００の操作情報に基づき流調弁５１７を制御して、ノズル装置８００のお尻洗浄ノズル８３１、ビデ洗浄ノズル８３２、ノズルクリーニング部８３３のいずれかに洗浄水を供給する。これにより、お尻洗浄噴出口８３４、ビデ洗浄噴出口８３６、ノズルクリーニング噴出口８３８のいずれかの噴出口から洗浄水が噴出する。
【０１２７】
次に、本実施の形態の特徴的な構成であるサブタンク６００に関わる制御、特に水位検知と流量検知について詳細を説明する。
【０１２８】
図２９は衛生洗浄装置の設置後に初めて使用する場合、あるいは凍結防止のため水抜き操作を実施した後の再使用の場合等、洗浄手段に洗浄水が貯溜されておらない初期使用時における洗浄手段の各機能のタイムチャートを示すものである。
【０１２９】
操作部２１０またはリモートコントローラ４００の洗浄スイッチ（例えば、お尻洗浄スイッチ２２１または４１０）が操作された時点Ｐ１で、制御部１３０は止水電磁弁５１４に通電を開始して洗浄水の供給を開始する、これと同時に水位検知センサ６２０の駆動を開始する。水位検知センサ６２０の駆動はお尻洗浄の停止Ｐ７まで継続される。
【０１３０】
水位検知センサ６２０が上限水位をＰ２で検知すると、制御部は時間計測を開始し、所定時間経過した時点Ｐ３に止水電磁弁５１４の通電を停止して洗浄水の供給を停止する。本実施の形態においては、上限水位検知の２秒後に通電を停止する。
【０１３１】
上限水位を検知した時点Ｐ２で、基本的にはサブタンク６００と熱交換器７００は満水状態になっているが、２秒間余分に送給を継続することにより、熱交換器７００と水ポンプ５１６により確実に洗浄水を充満させる。
【０１３２】
これにより、熱交換器７００内の空気の排除と洗浄水を確実に満水状態とすることができるので、熱交換器７００の空焚きを確実に防止することができ、安全性と耐久性を向上することができる。また、水ポンプ５１６へ洗浄水を確実に送給して満水状態とすることにより、水ポンプ５１６の送水機能を確実に起動させることができる。
【０１３３】
制御部１３０は、止水電磁弁５１４の通電を停止した時点Ｐ３で、水ポンプ５１６の駆動を開始するとともに、流調弁５１７を作動させてノズル部８２０のお尻洗浄流路８３５に洗浄水の供給を開始する。
【０１３４】
水ポンプ５１６を駆動することにより、サブタンク６００の水位は低下し、水位検知センサ６２０が上限水位の検知が解消した時点Ｐ４で、制御部１３０は熱交換器７００の駆動を開始する。水位の低下を検知することにより、水ポンプ５１６が正常に作動していることを確認し、熱交換器７００の異常温度上昇等を防止することができる。
【０１３５】
お尻洗浄流路８３５に供給された洗浄水はお尻洗浄噴出口８３４より噴出する。噴出した洗浄水は噴出開口８４４を通過して支持部８１０の先端に設けられた抱持部８１６の内
面にあたって反射しノズルカバー８４０の外面をクリーニングする。このクリーニング動作を前洗浄と称する。前洗浄は熱交換器７００の出湯温度が２５℃に到達してから２秒後の時点Ｐ５まで継続される。
【０１３６】
時点Ｐ５で前洗浄が終了すると、制御部１３０はノズル装置８００の駆動部８６０の駆動を開始し、ノズル部８２０を収納位置からお尻洗浄位置へと進出させる。収納位置からお尻洗浄位置への移動の間は、流調弁５１７を切替えて、ノズルクリーニング流路８３９に洗浄水を供給する。ノズルクリーニング流路８３９に供給された洗浄水はノズルクリーニング噴出口８３８よりノズルカバー８４０の内部に噴出し、噴出した洗浄水はノズルカバー８４０の内面を洗浄した後に排水口８４５よりノズルカバー８４０の外部に流出する。その間、ノズル部８２０は洗浄水により温められ、後に実施されるお尻洗浄時に冷水が噴出して不快を感じることを抑制することができる。
【０１３７】
ノズル部８２０がお尻洗浄位置に到達した時点Ｐ６で、制御部１３０は流調弁５１７を切替えてお尻洗浄流路８３５に洗浄水の供給を開始する。お尻洗浄流路８３５に供給された洗浄水はお尻洗浄噴出口８３４より噴出し、噴出開口８４４を通過して使用者の局部を洗浄する。お尻洗浄の動作は洗浄停止の操作が行われる時点Ｐ１１まで継続される。
【０１３８】
熱交換器７００の駆動中は、制御部１３０は入水温度センサ６３０と出湯温度センサ７３０の検知データにより、洗浄水を設定された温度に制御する。
【０１３９】
水ポンプ５１６の駆動が継続されることにより、サブタンク６００の水位は低下し、水位検知センサ６２０が下限水位を検知した時点Ｐ７で制御部１３０は止水電磁弁５１４に通電を開始し、水位検知センサ６２０が上限水位を検知する時点Ｐ８まで通電を継続する。
【０１４０】
上限水位を検知した時点Ｐ８で、制御部１３０は止水電磁弁５１４の通電を停止するとともに時間計測を開始し、次に水位検知センサ６２０が下限水位を検知する時点Ｐ９までの経過時間を計測する。下限水位を検知した時点Ｐ９で、制御部１３０は計測した経過時間と上限水位から下限水位までの水量（６５ｃｃ）とを演算することにより流量を算出する。演算終了時点Ｐ１０で、洗浄強さ毎に設定された流量と差がある場合は、水ポンプ５１６の出力を調整し、洗浄水の流量を補正する。
【０１４１】
操作部２１０またはリモートコントローラ４００の洗浄停止の操作が行われた時点Ｐ１１で、水ポンプ５１６と熱交換器７００の通電は停止されるとともに、ノズル装置８００が駆動部８６０の駆動が開始され、ノズル部８２０がお尻洗浄位置から収納位置へと後退する。
【０１４２】
ノズル部８２０が収納位置に後退した時点Ｐ１２でノズル装置８００の駆動部８６０の駆動が停止するとともに、水ポンプ５１６と熱交換器７００が再度駆動され、ノズル部８２０をクリーニングする後洗浄が開始され、所定時間経過した時点Ｐ１３で水ポンプ５１６と熱交換器７００の駆動が停止され、後洗浄が終了する。
【０１４３】
ノズル部８２０の後洗浄が終了した時点Ｐ１３で止水電磁弁５１４が再度通電され、サブタンク６００に洗浄水が供給され、上限水位が検知された時点Ｐ１４で止水電磁弁５１４の通電が停止され、お尻洗浄の一連の制御が終了し、サブタンク６００が上限水位の状態で洗浄手段は待機状態となる。
【０１４４】
図３０は初期使用を以前に実施した待機状態にある衛生洗浄装置で、洗浄動作を実施した場合の通常使用時のタイムチャートを示すものである。
【０１４５】
図２９に示す初期使用の場合と大きく異なるのは、洗浄操作がなされた時点Ｐ２０でサブタンク６００は既に満水状態である点と、制御部１３０が初期使用を実施したことを記憶している点である。
【０１４６】
図３０に示すように、サブタンク６００が満水状態の待機状態で、操作部２１０またはリモートコントローラ４００の洗浄スイッチ（例えば、お尻洗浄スイッチ２２１または４１０）が操作された時点Ｐ２０において、制御部１３０は、止水電磁弁５１４の通電を開始して洗浄水の供給を開始するとともに、初期操作の制御を既に実施した記憶データに基づき熱交換器７００の通電を同時に開始する。また、ノズル装置８００の前洗浄動作を同時に開始する。また、水位検知センサ６２０の駆動を同時に開始する。
【０１４７】
前述した初期使用の場合とは、洗浄操作をした時点から熱交換器７００の通電開始の時点までの制御が異なっており、ノズル装置８００の駆動が開始される時点Ｐ５以降の制御および作用動作は同様である。
【０１４８】
上記のように、本実施の形態における衛生洗浄装置は、洗浄手段の構成において、流量を検知する専用の流量センサを別途設けることなく、サブタンクに設けた水位検知センサにより水位の変化を検知し、流量を演算により検出する構成としたことにより、洗浄手段の構成を簡素化することができるとともに、コスト削減を図ることができる。
【０１４９】
また、水位検知における電極間の出力電圧変化を判定する閾値を温度により補正することにより、水位検知と流量検知の精度を向上することができるとともに、広い範囲に導電率の異なる水を衛生洗浄装置の洗浄水として使用することが可能となることにより、衛生洗浄装置の使用範囲と使い勝手を向上することができる。
【０１５０】
また、衛生洗浄装置の初期使用時において、サブタンクの満水状態検知後に所定時間通水を継続するとともに、水ポンプ駆動後に水位検知センサが上限水位の検知が解消された後に熱交換器の通電を開始することにより熱交換器の空焚きを防止することができ、一般的に実施されている流量センサを使用した空焚きを防止の手段より、シンプルな構成で低コストであり、安全性と信頼性を確保することができる。
【０１５１】
＜７＞吐水部の制御と作用動作
図３１、図３２は本実施の形態１における衛生洗浄装置を便器に設置した状態の縦断面図を模式的に示したもので、排便後に便器ボール（便鉢）に水が流され便器洗浄されると、便器ボール内の水面いわゆる喫水面６０は図３１のように、トラップ部の封水水位以上に溜水がある状態となる。
【０１５２】
もしも長期間不在等で、便器ボールに全く水が補充されなかった場合、便器ボール内の水が徐々に自然蒸発して、図３２のように喫水面６０がトラップ部の封水水位以下に下がり、下水配管内の臭いが排水接続管１６側からトイレに逆流して悪臭がすることになる。
【０１５３】
図３３は、本実施の形態１の衛生洗浄装置の制御部における制御動作の一例を示すフローチャートであり、図３４は、便器溜め水の蒸発量の一例を示すグラフである。
【０１５４】
本実施の形態１における衛生洗浄装置は、トイレ室内の室温を検出する室温検出手段（サーミスタ２０３）を備えており、制御部１３０は、図３３のフローチャートに示すようにＳ１〜Ｓ６において室温データをサンプリングし、Ｓ７で春夏秋冬の季節が判定される。
【０１５５】
Ｓ７での季節判定に応じて、Ｓ８、Ｓ９、Ｓ１０において便器溜め水の蒸発量が演算される。そしてＳ１１において、制御部１３０の蒸発量推定部（図示せず）によって、吐水部５５０の吐出終了からの経過時間による推定蒸発量が、所定蒸発量に到達したと判定されるとＳ１２に進み、便器ボール（便鉢）に水を落とす処理すなわち開閉弁である止水電磁弁５１４を開け、便器ボール内の喫水面６０が図３１のようにトラップ部の封水水位以上に溜水がある状態となる特定時間、吐水部５５０から便器内に洗浄水を流す制御が行われる。この吐水部５５０からの吐出が終了するとＳ２〜Ｓ１１において蓄積された経過時間，平均室温，蒸発量などの各データはクリアされてＳ２に戻る。
【０１５６】
したがって、長期不在等で再び便器内の水が蒸発してＳ１１で所定蒸発量に到達したと判定されると、再びＳ１２に進み、便器ボール（便鉢）に水を落とす処理すなわち開閉弁である止水電磁弁５１４を開け、便器ボール内の喫水面６０が図３１のようにトラップ部の封水水位以上に溜水がある状態となる特定時間、吐水部５５０から便器内に洗浄水を流す制御が行われる。
【０１５７】
なお、この特定時間は、吐水部５５０から便器内に吐出する単位時間当りの吐出流量の設定によるが、便器に補充される水量が便器ボール内の喫水面６０が図３１のようにトラップ部の封水水位以上に溜水されるのに十分な時間を意味する。
また特定時間は、洗浄水供給流路６９０を流れる洗浄水の流量を検出できる流量検出手段（例えば流量センサ）を備えている衛生洗浄装置の場合、便器に補充される水量が便器ボール内の喫水面６０が図３１のようにトラップ部の封水水位以上に溜水されるのに十分な流量である特定流量にしてもよい。
【０１５８】
このように、長期間、不在にする場合があっても、便器ボール内の水が蒸発してトラップ部の封水切れとなる低水位の溜水量になる前に、本体２００から便器ボール内に水を供給することができるので、下水配管からの臭いの逆流を防止することができる。
【０１５９】
なお、本実施の形態においては、トイレ室内の室温を検出する室温検出手段であるサーミスタ２０３によって室温をサンプリングして、Ｓ５に示したように２４時間毎に平均室温を算出し、その平均室温が夏に相当する温度なのか、または春秋に相当する温度か、あるいは冬に相当する温度なのかの３種類に判別して、実験値によって得た図３４に示すような各季節を代表する経過時間と蒸発量のグラフデータに基づいて、Ｓ８、Ｓ９、Ｓ１０において便器溜め水の蒸発量が演算される。図３４は、便器ボール内の水が蒸発してトラップ部の封水切れにならないように設定された所定蒸発量（Ｌｅ）に到達する経過時間が、夏に相当する温度ではＴｓ、春秋に相当する温度ではＴｍ、冬に相当する温度ではＴｗであることを表している。
【０１６０】
本実施の形態では、平均室温を算出するのを２４時間毎としたが、これに限られるものではなく、例えば４８時間毎，７２時間毎などであってもよい。
【０１６１】
また、本実施の形態では、蒸発量を演算する際に平均室温を３種類に判別したが、必ずしも３種類に判別することに限られるものではなく、例えば平均温度領域を６種類や１２種類などに判別して、蒸発量を演算するものであってもよい。
【０１６２】
また、本実施の形態では、トイレ室内の室温を検出する室温検出手段として、サーミスタ２０３を本体２００に設けたが、便座３００の温度を検出する便座温度センサ（図示せず）の温度信号から春夏秋冬の季節を判断して、便器ボール内の水の蒸発量を演算してもよい。例えば、衛生洗浄装置１００が使用されない時間帯を自動的に学習して、使用されない時間帯に便座３００の便座ヒータ（図示せず）に通電しないことが可能であり、このように便座ヒータ（図示せず）に通電していないときに、便座温度センサ（図示せず）の
温度信号から、図３３で説明したのと同様に平均室温として算出して、春夏秋冬の季節を判断して便器ボール内の水の蒸発量を演算することができる。これにより、トイレ室内の室温を検出する室温検出手段として、サーミスタ２０３を本体２００に特別に設けなくてもよい。
【０１６３】
また、本実施の形態では、トイレ室内の室温を検出する室温検出手段として、サーミスタ２０３を本体２００に設けたが、洗浄水の温度を検知する洗浄水温度センサである入水温度センサ６３０または、同じく洗浄水の温度を検知する洗浄水温度センサである熱交換器７００出湯温度を検知する出湯温度センサ７３０の温度信号から春夏秋冬の季節を判断して、便器ボール内の水の蒸発量を演算してもよい。例えば、衛生洗浄装置１００が使用されない時間帯は、洗浄水温度センサである入水温度センサ６３０または出湯温度センサ７３０は室温に近い温度になるので、使用されない時間帯に洗浄水温度センサである入水温度センサ６３０または出湯温度センサ７３０の温度信号から、図３３で説明したのと同様に平均室温として算出して、春夏秋冬の季節を判断して便器ボール内の水の蒸発量を演算することができる。これにより、トイレ室内の室温を検出する室温検出手段として、サーミスタ２０３を本体２００に特別に設けなくてもよい。
【０１６４】
以上のように、実施の形態１における衛生洗浄装置は、便器１１０に起倒自在に設置された便座３００と、便座３００を起倒自在に支持する本体２００と、本体２００に設けられ洗浄水を加熱する熱交換器７００と、本体２００に設けられ洗浄水を吐出する吐水部５５０と、吐水部５５０への水路を開閉する開閉弁５１４と、制御部１３０とを備え、制御部１３０は、吐水部５５０の吐出終了からの経過時間が、便器溜め水の蒸発量推定部による推定蒸発量が所定蒸発量に到達したと判定した際に、特定時間、前記開閉弁５１４を開け、吐水部５５０から便器内に洗浄水を流す制御をすることによって、制御部１３０は、便器溜め水の蒸発量を、吐水部５５０の吐出終了時点から演算し、所定蒸発量に到達したと判定すると開閉弁５１４を特定時間だけ開けるように作用し、吐水部５５０から便器内に所定量の洗浄水が流入するので、長期間、不在にする場合があっても、便器ボール内の水がトラップ部の封水切れとなる低水位の溜水量に至らずに、下水配管からの臭いの逆流を防止することできる。
【０１６５】
なお、吐水部５５０は便器に洗浄水を散布する散布ノズルとすることで、長期不在時等に、便器ボール内の水がトラップ部の封水切れとなる低水位の溜水量に至らずに、下水配管からの臭いの逆流を防止することできるというだけでなく、便器内に単に吐水されるのではなく広く散布することができ、汚れのこびりつきを防止することができる。
【０１６６】
また、衛生洗浄装置を設置する便器の種類によっては、便器ボール内の喫水面６０が図３１のようにトラップ部の封水水位以上に溜水がある状態から、トラップ部の封水水位以下に至るまでの水位差に大小があるため、便器ボール内の水が蒸発してトラップ部の封水切れにならないように設定される所定蒸発量（Ｌｅ）を、たとえば大・小の２段階や大・中・小と３段階など、選択設定できるように本体２００またはリモートコントローラ４００の操作部に操作スイッチを設けてもよい。
【０１６７】
このように、便器ボール内の水が蒸発してトラップ部の封水切れにならないように設定される所定蒸発量（Ｌｅ）の水位レベルを選択設定できる構成にすることで、衛生洗浄装置を設置する便器の種類に応じて、より的確な時期に吐水部５５０から便器内に水の補充ができるため、水や電気の無駄を少なく、下水配管からの臭いの逆流を防止できる。
【０１６８】
（実施の形態２）
図３５は実施の形態２における衛生洗浄装置を便器上に設置した状態の外観の斜視図を示すものである。前記の実施の形態１と異なるのは、本体２００に湿度センサ２０４をさ
らに備えたことで、それ以外は実施の形態１と同じであり重複説明を省略する。
【０１６９】
前記実施の形態１では、便器内の水の蒸発量をトイレ室内の温度情報によって演算して推定するものであったのに対し、実施の形態２の衛生洗浄装置は、湿度センサ２０４をさらに備えたことによって、便器内の水の蒸発量が温度だけでなく温湿度に応じて変化する要素を含んで推定できる。したがって、衛生洗浄装置が使用される国や地域、時期にかかわらず、蒸発量をより的確に推定することができるので、国や地域、時期にかかわらず、電力や水の無駄使いがより少なく、下水配管からの臭いの逆流を防止することできる。
【産業上の利用可能性】
【０１７０】
以上のように、本発明にかかる衛生洗浄装置は、本体に設けられ洗浄水を吐出する吐水部と、吐水部への水路を開閉する開閉弁と、制御部とを備え、制御部は、吐水部の吐出終了からの経過時間が、便器溜め水の蒸発量推定部による推定蒸発量が所定蒸発量に到達したと判定した際に、特定時間前記開閉弁を開け、吐水部から便器内に洗浄水を流す制御をすることによって、長期間、不在にする場合があっても、便器ボール内の水がトラップ部の封水切れとなる低水位の溜水量に至らずに、下水配管からの臭いの逆流を防止することが可能となるので、他の吐水部を備えた水応用機器の用途にも適用できる。
【符号の説明】
【０１７１】
１００  衛生洗浄装置
１１０  便器
１３０  制御部
２００  本体
２０１  後本体ケース
２０３  室温検出手段（サーミスタ）
２１０  操作部
２２１  お尻洗浄スイッチ
３００  便座
３２０  便蓋
３３０  着座センサ
４００  リモートコントローラ
４０１  リモコン本体
４１０  お尻洗浄スイッチ
４１１  ビデ洗浄スイッチ
４１２  停止スイッチ
４１３  ムーブ洗浄スイッチ
４１４  リズム洗浄スイッチ
４１５  洗浄強さスイッチ
４１６  洗浄位置スイッチ
４１７  散布スイッチ
４５０  人体検知センサ
５００  洗浄手段
５０１  シャーシ
５０１ａ  水ポンプ設置部
５０２  接続チューブ
５１０  給水接続口
５１１  ストレーナ
５１２  逆止弁
５１３  定流量弁
５１４  止水電磁弁（開閉弁）
５１５  リリーフ弁
５１６  水ポンプ（ポンプ）
５１６ａ  モータ部
５１６ｂ  リンク機構部
５１６ｃ  ピストン部
５１６ｄ  吸水口
５１６ｅ  吐出口
５１７  流調弁
５１７ａ  弁本体
５１７ｂ  ステッピングモータ
５１７ｃ  給水口
５３０  分岐流路
５３１  逆止弁
５５０  吐水部
６０１  入水口
６００  サブタンク
６０３  大気開放口
６１０  タンク本体
６１１  前部タンク
６１２  後部タンク
６１３  大気開放部
６１４  仕切壁
６１５  入水槽
６１６  貯溜槽
６１７  障壁
６１８  整流リブ
６２０  水位検知センサ
６２１  コモン電極
６２２  水位電極
６２３  上限電極
６２４  下限電極
６３０  入水温度センサ（洗浄水温度センサ）
６９０  洗浄水供給流路
７００  熱交換器
７０１  ケーシング
７０２  平板状ヒータ
７０３  出湯部材
７１０  前面部材
７１１  入水口
７１２  出湯口
７１３  入水流路
７１４  スリット
７１５  加熱流路
７１６  仕切リブ
７１７  通水孔
７１８  突起
７２０  背面部材
７３０  出湯温度センサ（洗浄水温度センサ）
７３１  過昇温度センサ
７５０  バッファタンク
８００  ノズル装置
８０１  ノズル蓋
８０２  接続チューブ
８１０  支持部
８１１  底辺部
８１２  傾斜部
８１３  縦辺部
８１４  ガイドレール
８１５  ラックガイド
８１６  抱持部
８２０  ノズル部
８３０  ノズル本体
８３１  お尻洗浄ノズル（洗浄ノズル）
８３２  ビデ洗浄ノズル（洗浄ノズル）
８３３  ノズルクリーニング部
８３４  お尻洗浄噴出口
８３５  お尻洗浄流路
８３５ａ  整流板
８３６  ビデ洗浄噴出口
８３７  ビデ洗浄流路
８３８  ノズルクリーニング噴出口
８３９  ノズルクリーニング流路
８４０  ノズルカバー
８４１  ノズルカバー本体
８４２  連結部材
８４３  連結片
８４３ａ  連結突起
８４４  噴出開口
８４５  排水口
８５０  連結手段
８５１  連結受部
８５１ａ  前凹陥部
８５１ｂ  後凹陥部
【図１】
0006402361.tif 000002
【図２】
0006402361.tif 000003
【図３】
0006402361.tif 000004
【図４】
0006402361.tif 000005
【図５】
0006402361.tif 000006
【図６】
0006402361.tif 000007
【図７】
0006402361.tif 000008
【図８】
0006402361.tif 000009
【図９】
0006402361.tif 000010
【図１０】
0006402361.tif 000011
【図１１】
0006402361.tif 000012
【図１２】
0006402361.tif 000013
【図１３】
0006402361.tif 000014
【図１４】
0006402361.tif 000015
【図１５】
0006402361.tif 000016
【図１６】
0006402361.tif 000017
【図１７】
0006402361.tif 000018
【図１８】
0006402361.tif 000019
【図１９】
0006402361.tif 000020
【図２０】
0006402361.tif 000021
【図２１】
0006402361.tif 000022
【図２２】
0006402361.tif 000023
【図２３】
0006402361.tif 000024
【図２４】
0006402361.tif 000025
【図２５】
0006402361.tif 000026
【図２６】
0006402361.tif 000027
【図２７】
0006402361.tif 000028
【図２８】
0006402361.tif 000029
【図２９】
0006402361.tif 000030
【図３０】
0006402361.tif 000031
【図３１】
0006402361.tif 000032
【図３２】
0006402361.tif 000033
【図３３】
0006402361.tif 000034
【図３４】
0006402361.tif 000035
【図３５】
0006402361.tif 000036
【図３６】
0006402361.tif 000037